(57)【要約】【課題】給水調節が可能であると共に、小型で設置に場所をとらず、且つ、簡素な構造で安価に製造できる給水調節機能付き鉢植給水器を提供する。【解決手段】外周部に筒状の給排水部２が突設して設けられ、給排水部２筒孔壁部に雌ネジ部３が刻設された透明又は半透明の水槽部４と、給排水部２の雌ネジ部３と螺着自在の雄ネジ部５が基端外周部に形成された円柱部６とを備えた給水調節機能付き鉢植給水器１であって、雄ネジ部５に、円柱部６の基端軸心側から先端外方方向に向かって斜欠された少なくとも一つの斜欠部７が形成されている。水を入れた水槽部４を上にして、円柱部６の先端部６ａを植木鉢の土内に差し込み、又は、植木鉢の土上面近傍に位置させ、雌ネジ部３と雄ネジ部５との螺着を緩めると、螺着を緩めた割合に応じて、斜欠部７による隙間が拡大し、水槽部４内の水が斜欠部７を介して漏出し、円柱部６の外周を伝って流下する。【選択図】図１
0003145695.tif 000002
【実用新案登録請求の範囲】
【請求項１】
外周部に筒状の給排水部が突設して設けられ、前記給排水部筒孔壁部に雌ネジ部が刻設された透明又は半透明の水槽部と、前記給排水部の雌ネジ部と螺着自在の雄ネジ部が基端外周部に形成された円柱部とを備えた給水調節機能付き鉢植給水器であって、前記雄ネジ部に、前記円柱部の基端から先端外方方向に向かって斜欠された少なくとも一つの斜欠部が形成され、水を入れた前記水槽部を上にして、前記円柱部の先端部を植木鉢の土内に差し込み、又は、植木鉢の土上面近傍に位置させ、前記雌ネジ部と雄ネジ部との螺着を緩めると、前記螺着を緩めた割合に応じて、前記斜欠部による隙間が拡大し、前記水槽部内の水が前記斜欠部を介して漏出し、前記円柱部の外周を伝って流下するように構成されていることを特徴とする給水調節機能付き鉢植給水器。
【請求項２】
前記円柱部は先端部が先端方向に向かって漸次細くなっていることを特徴とする請求項１記載の給水調節機能付き鉢植給水器。
【請求項３】
前記水槽部内に水に浮く浮玉を挿入し、前記水槽部内に水を入れた時に、前記浮玉によって水位が視認できるようにしたことを特徴とする請求項１又は２記載の給水調節機能付き鉢植給水器。
【請求項４】
前記円柱部に代えて円柱以外の棒体、又は、筒孔が閉塞された筒状体を備えたことを特徴とする請求項１乃至３のうちいずれか一に記載の給水調節機能付き鉢植給水器。
【請求項５】
前記雄ネジ部に前記斜欠部が形成されていることに代えて、前記雌ネジ部に、前記給排水部の先端から基端軸心方向に向かって斜欠された少なくとも一つの斜欠部が形成されていることを特徴とする請求項１乃至４のうちいずれか一に記載の給水調節機能付き鉢植給水器。
【考案の詳細な説明】
【技術分野】
【０００１】
本考案は、植木鉢等に水を給水する鉢植給水器に関し、特に、給水調節が可能であると共に、設置に場所をとらず、且つ、安価に製造できる給水調節機能付き鉢植給水器に関する。
【背景技術】
【０００２】
従来、植木鉢等に給水する鉢植給水方法として、例えば、植木鉢を水に浸漬させる方法、吸水材等を用いて植木鉢の下方から水を吸水させる方法、植木鉢の上方にタンクを設置して水を滴下させる方法、毛細管現象を利用して水を滴下させる方法、タイマーを用いて所定時刻に水道水等を散布する方法等、種々の方法が行なわれている。
然しながら、これらの方法は、例えば、水分の供給が過剰になる、水分の供給調節が難しい、設備が大きくなる、設備が複雑になる、設備が高価になる、外観上好ましくない等の問題点があり、広く普及するに至っていない。
【０００３】
先行文献としては、例えば、特許文献１があり、特許文献１は、水貯溜用のタンクと給水タンクとを備え、給水タンク内の水量を浮きによるバルブの開閉作用によって自動的に一定レベルに保つようにするとともに、給水タンク内の水を吸い上げ部材の毛細管作用により給水タンクの外へ取り出し、鉢の培土上に自動滴下可能にするものである。
【特許文献１】実用新案登録第３１０００７１号公報
【考案の開示】
【考案が解決しようとする課題】
【０００４】
前述したように、従来の鉢植給水の方法は、水分の供給が過剰になる、給水調節が難しい、設備が大きくなる、設備が複雑になる、設備が高価になる、外観上好ましくない等の問題点があり、その解決が望まれている。
又、特許文献１も給水設備のサイズが比較的大きく、比較的複雑な装置である等の問題点を有している。
【０００５】
以上の現状に鑑み、本考案は、給水調節が可能であると共に、小型で設置に場所をとらず、且つ、簡素な構造で安価に製造できる給水調節機能付き鉢植給水器を提供することを目的とする。
【課題を解決するための手段】
【０００６】
上記の課題を解決すべく、本考案は以下の構成を提供する。
請求項１に係る考案は、外周部に筒状の給排水部が突設して設けられ、前記給排水部筒孔壁部に雌ネジ部が刻設された透明又は半透明の水槽部と、前記給排水部の雌ネジ部と螺着自在の雄ネジ部が基端外周部に形成された円柱部とを備えた給水調節機能付き鉢植給水器であって、前記雄ネジ部に、前記円柱部の基端から先端外方方向に向かって斜欠された少なくとも一つの斜欠部が形成され、水を入れた前記水槽部を上にして、前記円柱部の先端部を植木鉢の土内に差し込み、又は、植木鉢の土上面近傍に位置させ、前記雌ネジ部と雄ネジ部との螺着を緩めると、前記螺着を緩めた割合に応じて、前記斜欠部による隙間が拡大し、前記水槽部内の水が前記斜欠部を介して漏出し、前記円柱部の外周を伝って流下するように構成されていることを特徴とする給水調節機能付き鉢植給水器を提供するものである。
【０００７】
請求項２に係る考案は、前記円柱部は先端部が先端方向に向かって漸次細くなっていることを特徴とする請求項１記載の給水調節機能付き鉢植給水器を提供するものである。
【０００８】
請求項３に係る考案は、前記水槽部内に水に浮く浮玉を挿入し、前記水槽部内に水を入れた時に、前記浮玉によって水位が視認できるようにしたことを特徴とする請求項１又は２記載の給水調節機能付き鉢植給水器を提供するものである。
【０００９】
請求項４に係る考案は、前記円柱部に代えて円柱以外の棒体、又は、筒孔が閉塞された筒状体を備えたことを特徴とする請求項１乃至３のうちいずれか一に記載の給水調節機能付き鉢植給水器を提供するものである。
【００１０】
請求項５に係る考案は、前記雄ネジ部に前記斜欠部が形成されていることに代えて、前記雌ネジ部に、前記給排水部の先端から基端軸心方向に向かって斜欠された少なくとも一つの斜欠部が形成されていることを特徴とする請求項１乃至４のうちいずれか一に記載の給水調節機能付き鉢植給水器を提供するものである。
【考案の効果】
【００１１】
本考案の請求項１記載の考案によれば、給水調節が可能であると共に、小型で設置に場所をとらず、且つ、簡素な構造で安価に製造できる給水調節機能付き鉢植給水器を提供することができる。
【００１２】
請求項２記載の考案によれば、請求項１記載の考案の効果に加え、植木鉢の土中への円柱部の先端部の差し込みが容易になる。
【００１３】
請求項３記載の考案によれば、請求項１又は２記載の考案の効果に加え、浮玉によって水位が視認でき、水の補給が遅滞なく行なえる。
【００１４】
請求項４記載の考案によれば、請求項１乃至３のうちいずれか一に記載の考案の効果に加え、円柱部に代えて円柱以外の棒体、又は、筒孔が閉塞された筒状体を備えたので、製作コストが安価になる。
【００１５】
請求項５記載の考案によれば、請求項１乃至４のうちいずれか一に記載の考案の効果と同様な効果が期待できる。
【考案を実施するための最良の形態】
【００１６】
以下、実施例を示した図面を参照しつつ本考案の実施の形態を説明する。
図１に於いて、１は本考案の給水調節機能付き鉢植給水器であり、給水調節機能付き鉢植給水器１は、外周部に円筒状の給排水部２が突設して設けられ、給排水部２筒孔壁部に雌ネジ部３が刻設された透明又は半透明の水槽部４と、給排水部２の雌ネジ部３と螺着自在の雄ネジ部５が基端外周部に形成された円柱部６とを備えている。
そして、給水調節機能付き鉢植給水器１は、図２に示すように、前記雄ネジ部５に、円柱部６の基端軸心側から先端外方方向に向かって断面視くさび形に斜欠された少なくとも一つの斜欠部７が形成されている。例えば、図２（ｂ）に示すように、円柱部６の基端外周部に互いに１８０度離間して２個の斜欠部７が形成されている。
又、前記円柱部６は、植木鉢（図３に於いて８）の土（図３に於いて９）中に差し込み易くするため、先端部６ａが先端方向に向かって漸次細く形成されている。
【００１７】
而して、雌ネジ部３と雄ネジ部５の螺着を解放し、水槽部４と円柱部６とを分離した状態で、水槽部４に水Ｗを入れた後、雌ネジ部３と雄ネジ部５とを螺着して水槽部４と円柱部６とを組み合わせ、図３に示すように、水Ｗを入れた水槽部４を上にして、円柱部６の先端部（図１に於いて６ａ）を植木鉢８の植物１０近傍の土９内に差し込み、又は、植木鉢８の植物１０近傍の土９上面近傍に位置させ（この場合、例えば、植木鉢８の土９に挿した支柱等に給水調節機能付き鉢植給水器１を保持させる。）、雌ネジ部３と雄ネジ部５との螺着を緩めると、螺着を緩めた割合に応じて、斜欠部７による隙間が拡大し（斜欠部７は斜欠されているので、螺着を緩めると斜欠部７の幅広い隙間が露出する）、外気が斜欠部７から進入し、気泡１１となって水槽部４内に流入し、それによって、気泡１１と略同量の水槽部４内の水が斜欠部７を介して漏出し、水滴１２となって、円柱部６の外周を伝って流下する。これによって、水滴は、植物１０近傍の土９上に落下し、植物１０に給水される。
【００１８】
前記給水調節機能付き鉢植給水器１は、植木鉢８に植えられた植物１０に対し、例えば、水５００ｍｌで最長１週間程度給水することができる。
【００１９】
尚、前記給水調節機能付き鉢植給水器１に於いて、前記円柱部６に代えて円柱以外の棒体、又は、筒孔が閉塞された筒状体を備えることも可能である。前記円柱以外の棒体、又は、筒孔が閉塞された筒状体を用いることにより、製作コストを安価にすることが可能になる。尚、筒孔が閉塞された筒状体とは、筒孔内を水が流れないように筒孔内を閉塞した円筒体又は角筒体等の筒状体であり、筒孔に栓をしても良く、或いは、筒孔の入口をパッキンで塞いでも良い。但し、パッキンで塞ぐ場合は、前記斜欠部７を塞がないように留意する必要がある。
又、前記
【００２０】
図４に於いて、２１は本考案の第１変形例の給水調節機能付き鉢植給水器であり、給水調節機能付き鉢植給水器２１は、前記給水調節機能付き鉢植給水器（図１に於いて１）の水槽部４内に、水に浮く、即ち、水よりも比重の軽いカラーボール等の浮玉２２を挿入したものである。
給水調節機能付き鉢植給水器２１によると、水槽部４内に水を入れた時に、浮玉２２が水面に浮遊し、浮玉２２によって水位が容易に視認でき、水位が下がった時、又は、水がなくなった時に、遅滞なく水の補給を行なうことができる。
【００２１】
図５に於いて、３１は本考案の第２変形例の給水調節機能付き鉢植給水器であり、前記給水調節機能付き鉢植給水器（図１に於いて１）は、雄ネジ部５に斜欠部（図１に於いて７）が形成されていたが、それに代えて、本考案の給水調節機能付き鉢植給水器３１は、雄ネジ部５に斜欠部を形成せず、雌ネジ部３に、給排水部２の先端から基端軸心方向に向かって断面視くさび形の斜欠部３２を形成したものである。
この給水調節機能付き鉢植給水器３１に於いても、雌ネジ部３と雄ネジ部５との螺着を緩めると、螺着を緩めた割合に応じて、斜欠部３２による隙間が拡大し、外気が斜欠部３２から進入し、気泡１１となって水槽部４内に流入し、それによって、気泡１１と略同量の水槽部４内の水が斜欠部３２を介して漏出するので、前記給水調節機能付き鉢植給水器（図１に於いて１）と略同様の効果が期待できる。
又、給水調節機能付き鉢植給水器３１に於いても、前記給水調節機能付き鉢植給水器（図４に於いて２１）の如き浮玉２２を挿入し、給水調節機能付き鉢植給水器（図４に於いて２１）と同様の効果を得ることが可能である。
【００２２】
尚、本考案の給水調節機能付き鉢植給水器１，２１又は３１は、前述したように、主として植木鉢等に水を給水する鉢植給水器であるが、植木鉢等に植えられていない植物、例えば、地面に植えられている植物にも適用可能であり、更に、他の用途にも利用可能である。
例えば、消毒用マットに部品として設置することができる。具体的には、消毒用マットと、本考案の給水調節機能付き鉢植給水器１又は２１とを準備し、給水調節機能付き鉢植給水器１又は２１の水槽部４内に消毒液を入れ、水槽部４内の消毒液を消毒用マットに適宜流下させることにより、比較的長時間、或いは、一定期間消毒液で消毒用マットを湿潤状態に維持することが可能になる。
その他、液体を長時間或いは一定期間少量ずつ流下させる種々のケースに於いて、本考案の利用が可能である。
【図面の簡単な説明】
【００２３】
【図１】本考案による給水調節機能付き鉢植給水器の正面図である。
【図２】（ａ）本考案による給水調節機能付き鉢植給水器の一部切欠分解正面図である。（ｂ）本考案による給水調節機能付き鉢植給水器の円柱部の平面図である。
【図３】本考案による給水調節機能付き鉢植給水器を植木鉢の土内に差し込んだ状態を示す斜視図である。
【図４】本考案による第１変形例の給水調節機能付き鉢植給水器の正面図である。
【図５】（ａ）本考案による第２変形例の給水調節機能付き鉢植給水器の一部切欠分解正面図である。（ｂ）本考案による第２変形例の給水調節機能付き鉢植給水器の給排水部の下面図である。
【符号の説明】
【００２４】
１，２１，３１  給水調節機能付き鉢植給水器
２  給排水部
３  雌ネジ部
４  水槽部
５  雄ネジ部
６  円柱部
６ａ  先端部
７，３２  斜欠部
８  植木鉢
９  土
２２  浮玉
Ｗ  水
【図１】
0003145695.tif 000003
【図２】
0003145695.tif 000004
【図３】
0003145695.tif 000005
【図４】
0003145695.tif 000006
【図５】
0003145695.tif 000007